(57)【要約】【目的】透明板保持枠の裏面側に、移動軸支ピンが透明板保持枠に対する後退を阻止する後退阻止部を形成することにより、安価な構造で不正行為を防止することができる遊技機を提供する。【構成】軸支部材は、固定軸支片２２１と、移動軸支ピン２２０と、から構成し、移動軸支ピン２２０には、操作部２２４を形成し、前面枠３の一方側には、固定軸支片２２１及び移動軸支ピン２２０の他方端が係合する係合部２２２，２２３を形成し、透明板保持枠４を前面枠３に対して開閉及び着脱自在に軸支し、透明板保持枠４の裏面側には、移動軸支ピン２２０が透明板保持枠４に対する後退を阻止する後退阻止部２２６を設け、前面枠３には、操作部２２４が後退阻止部２２６から外れることを防止する回転防止部２２８を設けたことにより、透明板保持枠４に移動軸支ピン２２０を装着するだけで同時に移動軸支ピン２２０を軸方向で移動させられることを防止できる。【選択図】        図５
2004194767.tif 000002
【特許請求の範囲】
【請求項１】
外枠と、外枠の一側に開閉自在に支持され且つ遊技盤が装着される前面枠と、前記遊技盤の遊技領域を透視し得る透明板が装着される透明板保持枠と、該透明板保持枠に装着され且つ該透明板保持枠を前記前面枠に対して開閉及び着脱自在に軸支する軸支部材と、を備えた遊技機において、
前記軸支部材は、前記透明板保持枠の軸支側上下の一方に固定される固定軸支片と、前記透明板保持枠の軸支側上下の他方に軸方向で該透明板保持枠に対して突出及び後退可能に装着される移動軸支ピンと、から構成し、
前記移動軸支ピンには、該移動軸支ピンの一方端をＬ字型に曲げるか、あるいは、該移動軸支ピンの軸方向に対して直角に凸部を突設することにより操作部を形成し、
前記前面枠の一方側には、前記固定軸支片及び移動軸支ピンの他方端が係合する係合部を形成し、
前記固定軸支片を前記係合部に係合すると共に、該移動軸支ピンの他方端を前記係合部と係合もしくは係合解除させ、前記透明板保持枠を前記前面枠に対して開閉及び着脱自在に軸支し、
前記透明板保持枠の裏面側には、前記操作部を透明板保持枠と平行方向となるように回転させた前記移動軸支ピンが、前記透明板保持枠に対する後退を阻止する後退阻止部を設け、
前記前面枠には、前記透明板保持枠を前記前面枠に対して閉成した際に、前記移動軸支ピンが回転して前記操作部が前記後退阻止部から外れることを防止する回転防止部を設けたことを特徴とする遊技機。
【請求項２】
前記後退阻止部は、前記操作部を上方及び下方から挟持する一対の突起部により構成されていることを特徴とする請求項１記載の遊技機。
【請求項３】
前記回転防止部は、前記透明板保持枠側に向けて突出する凸形状に形成されていることを特徴とする請求項１又は請求項２記載の遊技機。
【請求項４】
前記透明板保持枠の外周端部であって前記移動軸支ピンの近傍には、前記移動軸支ピンへの外部からの操作を防止するための防犯リブが、前記前面枠側に向けて突設されていることを特徴とする請求項１乃至請求項３のいずれかに記載の遊技機。
【請求項５】
前記後退阻止部は、該後退阻止部に収容された前記操作部の先端部分が突出する長さに形成されていることを特徴とする請求項１乃至請求項４のいずれかに記載の遊技機。
【発明の詳細な説明】
【０００１】
【発明の属する技術分野】
本発明は、外枠と、外枠の一側に開閉自在に支持され且つ遊技盤が装着される前面枠と、前記遊技盤の遊技領域を透視し得る透明板が装着される透明板保持枠と、該透明板保持枠に装着され且つ該透明板保持枠を前記前面枠に対して開閉自在に軸支する軸支部材と、を備えた遊技機に関するものである。
【０００２】
【従来の技術】
遊技機においては、ガラス板が装着されたガラス枠が前面枠に対して、軸支ピンによって開閉自在に軸支されているが、この軸支ピンをドライバ等の道具を用いて軸支ピンの軸方向に押し下げる等により、軸支ピンを外してガラス枠と前面枠との隙間を広げ、この隙間から針金等で遊技盤に対して操作を行うという不正行為が行われることがあった。このような不正行為を防止するため、従来、軸支ピンの一端部を直角に折り曲げて折曲部とし、この折曲部を前面枠に形成された係合部に対して係合させることにより、軸支ピンを軸方向に移動できないようにしたもの（例えば、特許文献１）があった。
【０００３】
【特許文献１】
特開２００２−２１９２５３号公報（第３，４頁、図３〜８）
【０００４】
【発明が解決しようとする課題】
ところが、上記した特許文献１に記載されたものの場合、ガラス枠に装着された軸支ピンの折曲部は、ガラス枠を閉塞した際に前面枠の係合部に係合するものであり、軸支ピンの折曲部を係合部に確実に係合させるためには、軸支ピンの製作寸法及び取付寸法や係合部の加工寸法等に対して高い精度が要求され、このため、遊技機の製造コストが上がってしまうという問題があった。また、ガラス枠に装着されて前面枠の係合部に係合する軸支ピンの折曲部は、ガラス枠と前面枠とにまたがるものであるため、ガラス枠と前面枠との隙間から針金等を挿入することにより折曲部に操作を行い易く、軸支ピンを軸方向に移動させてガラス枠を前面枠から外し、できた隙間から不正行為が行われるという問題があった。本発明は、上記した事情に鑑みなされたもので、その目的とするところは、透明板保持枠の裏面側に、移動軸支ピンが透明板保持枠に対する後退を阻止する後退阻止部を形成することにより、安価な構造で不正行為を防止することができる遊技機を提供することにある。
【０００５】
【課題を解決するための手段】
上記目的を達成するために、請求項１の発明においては、外枠と、外枠の一側に開閉自在に支持され且つ遊技盤が装着される前面枠と、前記遊技盤の遊技領域を透視し得る透明板が装着される透明板保持枠と、該透明板保持枠に装着され且つ該透明板保持枠を前記前面枠に対して開閉及び着脱自在に軸支する軸支部材と、を備えた遊技機において、前記軸支部材は、前記透明板保持枠の軸支側上下の一方に固定される固定軸支片と、前記透明板保持枠の軸支側上下の他方に軸方向で該透明板保持枠に対して突出及び後退可能に装着される移動軸支ピンと、から構成し、前記移動軸支ピンには、該移動軸支ピンの一方端をＬ字型に曲げるか、あるいは、該移動軸支ピンの軸方向に対して直角に凸部を突設することにより操作部を形成し、前記前面枠の一方側には、前記固定軸支片及び移動軸支ピンの他方端が係合する係合部を形成し、前記固定軸支片を前記係合部に係合すると共に、該移動軸支ピンの他方端を前記係合部と係合もしくは係合解除させ、前記透明板保持枠を前記前面枠に対して開閉及び着脱自在に軸支し、前記透明板保持枠の裏面側には、前記操作部を透明板保持枠と平行方向となるように回転させた前記移動軸支ピンが、前記透明板保持枠に対する後退を阻止する後退阻止部を設け、前記前面枠には、前記透明板保持枠を前記前面枠に対して閉成した際に、前記移動軸支ピンが回転して前記操作部が前記後退阻止部から外れることを防止する回転防止部を設けたことを特徴とする。このように構成することにより、透明板保持枠に移動軸支ピンを装着するだけで同時に移動軸支ピンを軸方向で移動させられることを防止できる。このため、前面枠側に移動軸支ピンが係合する係合部を形成し、この係合部で位置決めするもののように、移動軸支ピンの製作寸法及び取付寸法や係合部の加工寸法等に対して高い精度が要求されないため、製造コストを低減することができる。また、透明板保持枠に装着された移動軸支ピンは、閉じた状態で透明板保持枠と前面枠とにまたがるものではなく、透明板保持枠側に位置することとなり、透明板保持枠と前面枠との隙間から針金等を挿入することにより移動軸支ピンに対しての操作が行われることを防止することができる。更に、後退阻止部に当接した操作部は、回転防止部によって後退阻止部から抜け出すことが防止されるため、移動軸支ピンが軸方向で移動することを確実に防止でき、不正行為を未然に防ぐことができる。
【０００６】
また、請求項２の発明においては、前記後退阻止部は、前記操作部を上方及び下方から挟持する一対の突起部により構成されていることを特徴とする。このように構成することにより、透明板保持枠の裏面側に一対の突起を設けるだけの簡単な構造で挟持でき、移動軸支ピンが軸方向で移動することを防止でき、不正行為を未然に防ぐことができる。
【０００７】
また、請求項３の発明においては、前記回転防止部は、前記透明板保持枠側に向けて突出する凸形状に形成されていることを特徴とする。このように構成することにより、透明板保持枠を閉塞した際に、移動軸支ピンが回転して後退阻止部から抜け出すことを確実に防止することができるため、移動軸支ピンが軸方向で移動することを防止でき、不正行為を未然に防ぐことができる。
【０００８】
また、請求項４の発明においては、前記透明板保持枠の外周端部であって前記移動軸支ピンの近傍には、前記移動軸支ピンへの外部からの操作を防止するための防犯リブが、前記前面枠側に向けて突設されていることを特徴とする。このように構成することにより、移動軸支ピンに対して外部から操作することが不可能になるため、移動軸支ピンが軸方向で移動することを防止でき、不正行為を未然に防ぐことができる。
【０００９】
更に、請求項５の発明においては、前記後退阻止部は、該後退阻止部に収容された前記操作部の先端部分が突出する長さに形成されていることを特徴とする。このように構成することにより、遊技機のメンテナンス等を行う場合に、移動軸支ピンの操作部を後退阻止部から容易に抜き出すことができるため、分解作業の効率化を図ることができる。
【００１０】
【発明の実施の形態】
以下、図面を参照して、本発明の実施形態について説明する。なお、以下の説明においては、弾球遊技機１の遊技者側を表，表面，前面，前方で表わし、弾球遊技機１を挟んで遊技者と反対側を裏，裏面，後面，後方，奥，背面で示す。まず、図１乃至図３を参照して実施形態に係る弾球遊技機１の全体の構成について説明する。図１は、本実施形態に係る弾球遊技機１の正面図であり、図２は、弾球遊技機１の背面図であり、図３は、主基板１２０と各種制御基板及び電気部品との関係を示すブロック図である。
【００１１】
弾球遊技機１は、図１及び図２に示すように、縦長な方形状に枠組み形成される外枠２と、該外枠２の一側に開閉自在に軸支され且つ弾球遊技機１の主要構成部のほぼすべてが集約して設けられる前面枠３と、該前面枠３の前面上部に開閉自在に設けられる透明板保持枠４と、前面枠３の前面下部に開閉自在に設けられる上皿開閉枠１１と、から構成されている。また、前面枠３に設けられる主要構成部としては、上記した透明板保持枠４、遊技盤４０、下皿２７、灰皿ユニット２９、操作ハンドル３０、機構板１４０、打球発射装置１３０がある。また、図示の実施形態では、弾球遊技機１の側方に遊技者に遊技球を貸し出す（球貸しする）ためのカードユニット装置３１が付設されている。
【００１２】
透明板保持枠４には、後述する遊技盤４０の遊技領域４１をほぼ透視し得る遊技開口としての円形透視窓５が開設され、該円形透視窓５の裏面から複層ガラス板が装着されるようになっている。この円形透視窓５及び複層ガラス板は、いずれもやや縦長な円形状に形成されるものである。透明板保持枠４の周縁には、後方に向かって補強周枠リブ（防犯リブ）２２９（図４乃至図８参照）が立設され、透明板保持枠４の強度の向上を図っている。なお、この補強周枠リブ２２９は、後述するように、防犯リブとしての機能を有するものである。また、透明板保持枠４の前面側には、円形透視窓５の外周に沿って、上部に装飾部材としての上部装飾ユニット２２が、左側方に被覆部材としての左装飾ユニット２３が、右側方に被覆部材としての右装飾ユニット２４が、下部に前面構成部材としての下部装飾ユニット２５がそれぞれ設けられている。上部装飾ユニット２２の内部に、発光部材としての遊技効果ＬＥＤ１３，１４ａ，１４ｃ及び遊技効果ランプ１４ｂ，１４ｄが臨むように透明板保持枠４の前面側に備えられ、左装飾ユニット２３及び右装飾ユニット２４の内部に、それぞれ発光部材としての遊技効果ランプ１６ａ，１６ｂ及び遊技効果ランプ１７ａ，１７ｂが臨むように透明板保持枠４の前面側に備えられている。この遊技効果ＬＥＤ１３，１４ａ，１４ｃ、遊技効果ランプ１４ｂ，１４ｄ，１６ａ，１６ｂ，１７ａ，１７ｂは、遊技状態に応じて点灯又は点滅されるものであり、特別の遊技状態の発生時や継続時を遊技者に報知すると共に遊技の雰囲気を盛り上げるものである。
【００１３】
また、左装飾ユニット２３の上部右側方に、入賞球の発生に基づいて所定個数の賞球が払い出されたことを報知する遊技関連情報発光部材としての賞球ＬＥＤ１０（なお、賞球未払出分がある場合に報知するものでもよい。具体的には、賞球未払出があるときは点灯し、賞球未払出がないときは消灯するなど）が透明板保持枠４に設けられ、右装飾ユニット２４の上部左側方に、払い出すべく賞球が不足したこと（後述する球切れスイッチ１５７により球切れを検出したとき）を報知する遊技関連情報発光部材としての球切れＬＥＤ９が透明板保持枠４に設けられている。この賞球ＬＥＤ１０及び球切れＬＥＤ９は、弾球遊技機１において行なわれる遊技演出とは別に遊技に関する情報に関連して発光する遊技関連情報発光部材であり、遊技効果ＬＥＤや遊技効果ランプとは別に設けられるものである。また、左装飾ユニット２３及び右装飾ユニット２４のそれぞれ左側及び右側には、装飾するための前面装飾部６が設けられている。更に、下部装飾ユニット２５の両側方には、遊技盤４０に貼付される証紙を視認するための透視窓１８が設けられている。
【００１４】
上記した遊技効果ＬＥＤ１３，１４ａ，１４ｃ、遊技効果ランプ１４ｂ，１４ｄ，１６ａ，１６ｂ，１７ａ，１７ｂ、球切れＬＥＤ９、賞球ＬＥＤ１０は、それぞれプリント配線基板で構成されるＬＥＤ基板１９０、ＬＥＤランプ基板１９１，１９２、ランプ基板１９３〜１９６、球切れＬＥＤ基板１９７、賞球ＬＥＤ基板１９８に実装されて前面枠３の前面側に取り付けられている。なお、遊技効果ＬＥＤ１３，１４ａ，１４ｃ、遊技効果ランプ１６ａ，１６ｂ，１７ａ，１７ｂ、球切れＬＥＤ９、賞球ＬＥＤ１０は、各プリント基板にそれぞれ複数個ずつ実装され、遊技効果ランプ１４ｂ，１４ｄは、各プリント基板にそれぞれ１個ずつ実装されている。そして、図３に示すように、各基板１９０〜１９８及びスピーカ１２は、保持枠中継基板１００に接続され、この保持枠中継基板１００は、前面枠３の裏面下部に取り付けられる中継基板取付台２０１に止着される前面枠中継基板９９に接続された後、後述する電飾制御基板９２に接続されている。電飾制御基板９２は、後述する主基板１２０（遊技制御基板）から表示制御基板９０を経由して送信される情報信号の種類に応じて上記した遊技効果ＬＥＤ１３，１４ａ，１４ｃ、遊技効果ランプ１４ｂ，１４ｄ，１６ａ，１６ｂ，１７ａ，１７ｂ、球切れＬＥＤ９、賞球ＬＥＤ１０の表示制御及びスピーカ１２の駆動制御をするものである。なお、保持枠中継基板１００は、透明板保持枠４の裏面上部に取り付けられている。
【００１５】
また、前面枠３には、透明板保持枠４と前面枠３とが開放したことを検出するための保持枠開放スイッチ１１１（図３に符号のみ記載：図中、第１ドア開放スイッチと記載）及び前面枠３と外枠２とが開放したことを検出するための前面枠開放スイッチ１１２（図３に符号のみ記載：図中、第１ドア開放スイッチと記載）が設けられており、前面枠中継基板９９を介して枠用外部端子基板１０２に接続されている。このように、保持枠開放スイッチ１１１及び前面枠開放スイッチ１１２が備えられているため、外枠２，前面枠３及び透明板保持枠４の開放状態を外部装置等によって確認することができる。なお、この保持枠開放スイッチ１１１及び前面枠開放スイッチ１１２の配線は、前面枠中継基板９９に接続された後、電飾制御基板９２に接続され、表示制御基板９０を経由して主基板１２０に接続するようにし、そして、主基板１２０からの情報信号に基づいて電飾制御基板９２によって一部又は全部のＬＥＤあるいはランプ９，１０，１３，１４ａ〜１４ｄ，１６ａ，１６ｂ，１７ａ，１７ｂを点灯制御することにより前面枠３あるいは透明板保持枠４が開放されたことを報知するようにしてもよい。
【００１６】
次に、透明板保持枠４の透視窓５の下方に位置する上皿開閉枠１１に形成された上皿１９の構成について説明すると、上皿１９は、複数の合成樹脂製部材を組合せた皿部材を固着することにより構成されている。上皿１９の開放側の上方には、球抜き操作レバー２１が設けられている。この球抜き操作レバー２１は、左右方向に移動可能に設けられ、後述するスプリング（図示しない）の付勢力に抗して一方向に移動させることにより、上皿１９に貯留されていた球を裏面側に形成される球抜き路（図示しない）及び球抜き（図示しない）を流下させて下皿２７に誘導するものである。
【００１７】
上記した上皿１９について、さらに詳細に説明すると、上皿１９は、その上流側に形成される賞球払出口２０から払い出された賞球を貯留し、且つ発射位置に球を供給するものである。また、上皿１９には、弾球遊技機１に隣接して設けられるカードユニット装置３１を介して遊技球を借り受ける際に操作する操作部（残高表示部）が設けられている。この操作部は、球貸スイッチ３６，返却スイッチ３７，度数表示ＬＥＤ１０５及び球貸表示ＬＥＤ１０６（いずれも図３に符号のみ記載）が実装される残高表示基板１０４（図３に符号のみ記載）からなり、該残高表示基板１０４が上皿１９の上面に臨むように設けられている。なお、度数表示ＬＥＤ１０５は、カード残高を７セグメントＬＥＤで表示するＬＥＤであり、球貸表示ＬＥＤ１０６は、球貸しが可能か否かを表すＬＥＤである。球貸スイッチ３６は、カードユニット装置３１によって遊技球を借り受ける際に操作（球貸し操作）するものであり、返却スイッチ３７は、遊技終了の際にカードユニット装置３１のカード挿入口（図示しない）に差し込まれたカードを返却するためのものである。なお、上皿１９に設けられて上記した球貸スイッチ３６，返却スイッチ３７，度数表示ＬＥＤ１０５及び球貸表示ＬＥＤ１０６が実装される残高表示基板１０４から延びる上皿配線は、前面枠３の軸支側の下部に形成される配線通し開口（図示しない）から前面枠３の裏側に引き出され、機構板１４０の裏面下部に取り付けられるインターフェイス基板１０３を経由して後述する払出制御基板９８に接続されている。また、上皿１９の右側方には、透明板保持枠４を前面枠３に対して施錠し且つ前面枠３を外枠２に対して施錠する施錠装置１２８を操作するためのシリンダー錠２６が臨んでいる。また、上皿１９の左側方には、遊技の進行に応じた効果音（音声なども含む）を発生するスピーカ１２が設けられている。なお、スピーカ１２は、遊技球の貸出異常が生じたとき、あるいは遊技球の貸出時（例えば、１００円相当の遊技球が払い出される毎）に、その旨を報知する報知音も発生するようにしてもよい。
【００１８】
また、前面枠３の下部に取り付けられる下皿２７は、前記上皿１９から溢れた賞球であって機構板１４０の裏面下部に形成される余剰球通路（図示しない）及び接続樋２０２を介して排出される余剰球を貯留する余剰球貯留皿（余剰球受皿）であり、その下皿２７の下方には、球抜き操作レバー２８がスライド可能に取付けられるようになっている。この球抜き操作レバー２８を操作することにより、下皿２７に貯留されていた球（賞球）を下方に球抜きして持ち運び可能な球箱に移し替えることができる。また、下皿２７の左側には、灰皿ユニット２９が設けられ、右側には、操作ハンドル３０が設けられている。操作ハンドル３０は、図２に示す打球発射装置１３０のステッピングモータ６０１（図３に符号のみ記載：図中、発射モータと記載）の駆動を停止させるための単発発射スイッチ１０９（図３に符号のみ記載）及びタッチリング（タッチセンサ）１１０（図３に符号のみ記載）に接続されるタッチ配線（図示しない）が組み付けられていると共に、弾発力を調節するものである。なお、タッチ配線は、単発発射スイッチ１０９からの配線と共に束ねられる。
【００１９】
弾球遊技機１の正面構造は、概ね上記した通りであるが、図示の実施形態では、図２に示すように、弾球遊技機１にカードユニット装置３１が隣接されている。このカードユニット装置３１は、前記上皿１９の上面に設けられる前述した球貸スイッチ３６や返却スイッチ３７等の操作部を操作することにより作動されるものである。しかして、カードユニット装置３１の表面側には、使用可能状態であるか否かを表示する使用可能表示器（図示しない）と、当該カードユニット装置３１がいずれの側の弾球遊技機１に対応しているか否かを表示する連結台方向表示器（図示しない）と、記録媒体としての磁気カードを挿入するカード挿入口（図示しない）とが設けられている。そして、このように構成されるカードユニット装置３１は、独自の制御回路によって制御されるものであるが、後述するインターフェイス基板１０３とカードユニット配線３５を介して接続され、このカードユニット配線３５からインターフェイス基板１０３を経由して後述する払出制御基板９８に接続されている（図２参照）。なお、カードユニット装置３１を弾球遊技機１に内蔵しても良いし、カードユニット装置３１を付設せず、カードによる球貸し機能を有しない弾球遊技機でもよい。また、本実施形態においては、遊技者に遊技球を貸し出す（球貸しする）ためのユニット装置としてカードユニット装置３１を例示したが、例えば、紙幣等を挿入し得るユニット装置であっても良い。
【００２０】
一方、弾球遊技機１の背面には、図２に示すように、入賞球の発生に基づいて所定個数の賞球を払い出すための各種の機構を装備した機構板１４０が設けられると共に、前記操作ハンドル３０に対応する裏面には、ステッピングモータ６０１及び打球槌（図示しない）を有する打球発射装置１３０が固着され、その打球発射装置１３０の側方には、機構板１４０の余剰球通路（図示しない）を流下する賞球を前記下皿２７に誘導する接続樋（図示しない）が固着されている。更に、接続樋２０２の側方に中継基板取付台２０１が取り付けられ、外枠２に対する前面枠３の開放側裏面には、外枠２の掛止片１２９に対する前面枠３の施錠及び前面枠３に対する透明板保持枠４の施錠を行う施錠装置１２８が設けられている。
【００２１】
上記した構成のうち、打球発射装置１３０には、発射制御基板１０７（図３に符号のみ記載）が付設されており、この発射制御基板１０７によって打球発射装置１３０が駆動制御されるようになっている。発射制御基板１０７は、基板ボックス２０３内に収容されると共に、前面枠中継基板９９を介して払出制御基板９８と接続されており（図３参照）、所定の状態（例えば、カードユニット未接続、それだけでもよいが、他に下皿満タン、球切れ時などのとき）となったときに払出制御基板９８から停止信号をうけて打球の発射を行えないようになっている。
【００２２】
以上で、弾球遊技機１の全体の概略構成を説明したが、以下、弾球遊技機１を構成する要素のうち、遊技盤４０と、機構板１４０の詳細な構成について順次説明する。まず、図２を参照して遊技盤４０について説明する。
【００２３】
遊技盤４０は、前面枠３の裏面側に一体的に形成される遊技盤収納枠部３９３（図示しない）に収容固定されるべく、ほぼ正方形状の合板により形成され、その表面には、円形うず巻き状に誘導レール４２が取り付けられ、該誘導レール４２の内側が縦長の円形状に形成された遊技領域４１とされて発射された打球が落下するものである。遊技領域４１には、図示の場合、特別可変表示装置４４、特別可変入賞球装置４８、普通可変入賞球装置５８、普通可変表示装置６３等が設けられると共に、単に打球を入賞とする入賞口、打球の流下方向，速度を変化せしめる風車又は多数の障害釘が設けられ、また、遊技領域４１の最下方には、いずれの入賞領域にも入賞しない打球が取り込まれるアウト口６９が設けられている。
【００２４】
遊技領域４１の構成をその遊技動作に従ってより詳細に説明すると、可変表示装置４４の下方に普通可変入賞球装置５８が設けられると共に、可変表示装置４４の両側方には、それぞれ通過球検出器６２ａ，６２ｂを内蔵する通過口６１ａ，６１ｂが設けられている。この通過球検出器６２ａ，６２ｂは、遊技領域４１を落下する打球の通過を検出すると、その検出信号に基づいて特別可変入賞球装置４８の右側方に設けられる上下一対のＬＥＤからなる普通図柄表示器６３を可変表示（点灯移動）して表示結果を導出する（上下いずれか一方のＬＥＤのみを点灯表示する）。しかして、普通図柄表示器６３の表示結果が予め定められた当りＬＥＤの点灯（図示の場合は、上方のＬＥＤ）である場合に、普通可変入賞球装置５８が所定時間開放される。なお、普通図柄表示器６３の可変時間は、後述する非特別遊技状態のときに相対的に長く（例えば、３０秒）、後述する特別遊技状態のときに相対的に短く（例えば、３〜５秒）設定されている。また、特別可変入賞球装置４８の左側方には、普通図柄表示器６３の可変表示中に通過球検出器６２ａ，６２ｂを通過した打球数を記憶表示する普通図柄始動記憶ＬＥＤ６４（最高４個まで記憶表示する）が設けられている。
【００２５】
普通可変入賞球装置５８は、遊技領域４１のほぼ中央に配置される可変表示装置４４と遊技領域４１の前記アウト口６９の上部に配置される特別可変入賞球装置４８との間に配置され、ソレノイド５９（図３に符号のみを記載）によって開閉駆動される電動チューリップタイプの可変入賞球装置である。そして、普通可変入賞球装置５８には、始動球検出器６０が内蔵され、開放中又は閉成中に受け入れた入賞球を検出するようになっている。しかして、打球が始動球検出器６０によって検出されると可変表示装置４４が可変表示を開始する。なお、普通可変入賞球装置５８の開放時間は、非特別遊技状態のときに相対的に短く（例えば、０．５秒）、特別遊技状態のときに相対的に長く（例えば、２秒）設定されている。また、普通可変入賞球装置５８が開放していない場合でも打球を受け入れるようになっている。
【００２６】
可変表示装置４４は、図２に示すように、識別情報を可変表示する表示部２２３を有した液晶タイプの表示器であり、この表示部２２３は、左・中・右の３つの表示領域に識別情報が表示制御されるものである。
【００２７】
上記した表示部２２３の前方外周には、表示部２２３の外周部分を装飾するための装飾部材６６が設けられている。そして、可変表示装置４４の変動停止時における図柄の組合せが予め定めた大当り図柄の組合せ（例えば、同一の図柄が当りラインのいずれかに揃った場合）である特定表示結果となった場合に、特定遊技状態となって特別可変入賞球装置４８を次に説明する所定の態様で開閉駆動するものである。ただし、特定表示結果の一部は、特別表示結果として設定され、この特別表示結果で特定遊技状態となったときには、その特定遊技状態終了後における前記普通図柄表示器６３における当り（当りＬＥＤの点灯）の出現確率や可変表示装置４４における大当り図柄の出現確率が高くなる遊技者に有利な特別遊技状態となるように設定されている。これに対し、特別表示結果以外の特定表示結果は、特別遊技状態よりも遊技者に不利な非特別遊技状態となる非特別表示結果として設定されている。また、可変表示装置４４の上方右側には、可変表示装置４４の可変動作中に前記始動球検出器６０によって検出された球数を記憶表示する特別図柄始動記憶ＬＥＤ４６（最高４個まで記憶表示する）と、が設けられている。なお、可変表示装置４４は、液晶タイプのものに限らず、ＣＲＴ，ドットマトリクス，ＬＥＤ，７セグメント，ドラム等により構成されるものであっても良い。
【００２８】
特定遊技状態となったときに駆動制御される特別可変入賞球装置４８は、ソレノイド６５（図３に符号のみを記載）によって開閉駆動される開閉板４９を有し、その開閉板４９に受け入れられた打球を検出する入賞個数検出器５２（図３に符号のみを記載）が設けられている。また、特別可変入賞球装置４８内（開閉板４９の内側）には、打球の検出（Ｖ入賞検出）に伴って特定遊技状態の継続権を成立させる特定球検出器５１（図３に符号のみを記載）が設けられており、該特定球検出器５１の上方には、一旦Ｖ入賞検出があると次に開閉板４９を開放するまでは打球が特定球検出器５１を通過しないようにするＶシャッター（図示しない）が設けられている。このＶシャッターは、ソレノイド５０（図３に符号のみを記載）によって開閉駆動が行われる。しかして、特定遊技状態となった場合には、一定時間（例えば、２８秒）が経過するまで又はその一定時間内に所定個数（例えば、１０個）の入賞球が入賞するまで開閉板２５を開放（以下、この開放を開放サイクルという）し、その開放サイクル中に受け入れられた打球が特定球検出器５１によって検出されたときに継続権が成立して、再度上記した開放サイクルが実行され、各開放サイクルにおいて継続権が成立していることを条件に最高１６回の開放サイクルを繰り返すことができるようになっている。
【００２９】
なお、本発明の特定遊技状態は、上記に限らず以下に示す▲１▼〜▲５▼の制御のうちいずれか１つの制御又は組合せた制御を実行する状態であればよい。
【００３０】
▲１▼  打球の入賞を容易にする第一の状態と、打球が入賞できない又は入賞し難い第二の状態と、に変化可能な可変入賞球装置に対して所定時間連続的又は間欠的に第一の状態にする制御
▲２▼  特定の入賞又は通過領域での打球の検出を介在させ、打球の入賞を容易にする第一の状態と、打球が入賞できない又は入賞し難い第二の状態と、に変化可能な可変入賞球装置に対して所定時間連続的又は間欠的に第一の状態にする制御
▲３▼  打球の入賞に関わらず所定数の景品球を直接排出する制御
▲４▼  有価価値を有する記憶媒体（カードやレシート等）に対して有価数を加算する制御
▲５▼  得点があることに基づいて遊技可能な弾球遊技機に対して得点を付与する制御
また、特別可変入賞球装置４８の左右両側には、それぞれ入賞球検出器５５ａ，５５ｂを内蔵する通常入賞口５３ａ，５３ｂが設けられている。
【００３１】
上記したように、打球が入賞するすべての入賞口及び入賞装置には、入賞球を検出する入賞球検出器としての各スイッチ５２，５５ａ，５５ｂ，５６ａ，５６ｂ，６０が設けられているが、これは、これらの検出信号に基づいて所定個数の賞球を払い出すために使用されるものである。なお、入賞球を検出するが、賞球を払い出さない各スイッチ５１，６２ａ，６２ｂも設けられている。しかして、これらのスイッチ（入賞球検出器）５１，５２，５５ａ，５５ｂ，５６ａ，５６ｂ，６２ａ，６２ｂは、図３に示すように、次に説明するスイッチ中継基板９５を介して主基板１２０に接続され、主基板１２０では、これらの検出器からの検出信号により未払出数として対応した個数を加算すると共に順次払出制御基板９８に賞球個数信号を導出する。そして、払出制御基板９８は、その賞球個数信号に基づいて所定個数の賞球を払い出すように後述する球払出装置１５４を駆動制御するようになっている。なお、スイッチ（特定球検出器）５１は、継続権の成立を検出する機能を兼用しており、スイッチ（入賞球個数検出器）５２は、開閉板４９の開放を規制するための計数機能を兼用している。また、スイッチ（始動球検出器）６０は、特別可変表示装置４４の可変表示をさせるための始動機能を兼用している。
【００３２】
また、始動球検出器６０は、図３に示すように、スイッチ中継基板９５を介することなく直接主基板１２０と接続されている。（ただし、他の入賞球検出器５１，５２，５５ａ，５５ｂ，５６ａ，５６ｂ，６２ａ，６２ｂによって導出される賞球個数信号は、相対的に多い個数、例えば、１３個や１５個であるのに対し、始動球検出器６０に基づく賞球個数信号は、相対的に少ない個数、例えば、５個や７個である）これは、始動球検出器６０からの配線を直接主基板１２０に接続することにより、その途中に不正な回路基板を組み込んだ配線（ぶら下がり基板等と称されている）が接続されているか否かの発見を容易にするためである。また、始動球検出器６０と主基板１２０とを直接接続する配線は、他の配線の色と明らかに異なる色（本実施形態の場合には、ピンクと黄の蛍光色）としたので、この点からも始動球検出器６０からの配線に不正が行われているか否かを見分け易い。さらに、その始動球検出器６０と主基板１２０とを接続する配線を遊技機裏面側から見て視認できるようにしているので、より不正を発見し易い。
【００３３】
遊技盤４０には、上記したようにスイッチやソレノイド、あるいは装飾ランプや装飾ＬＥＤ等が多数設けられるが、これらは、電飾制御基板９２やあるいはスイッチ中継基板９５を介して主基板１２０に接続されるようになっている。即ち、図４に示すように、遊技盤４０に設けられる各スイッチ５１，５２，５５ａ，５５ｂ，５６ａ，５６ｂ，６２ａ，６２ｂ及び各ソレノイド５０，５９，６５は、スイッチ中継基板９５を介して主基板１２０に接続され、普通図柄可変表示装置６３及びソレノイド７１ｂ，７３ｂ，７４ｂは、盤用電飾中継基板９３を介して電飾制御基板９２に接続されている。
【００３４】
一方、遊技盤４０の裏面には、図２に示すように、遊技盤４０の裏面側の中央部分には、裏面カバー体８１が取り付けられている。裏面カバー体８１の中央には、特別可変表示装置４４が臨む開口（図示しない）が形成されており、この裏面カバー体８１に対して、特別可変表示装置４４の裏面が突出して設けられている。この特別可変表示装置４４の裏面部分の右側には、音声制御基板９４が音声制御基板ボックス１２５内に収容して取り付けられている。この音声制御基板９４は、前記スピーカ１２を駆動制御するものであり、主基板１２０からの情報信号に応じて遊技内容に対応した効果音を発生させるものである。また、音声制御基板９４には、音量を切り替える音量切替スイッチ１２７が設けられている。また、音声制御基板９４の下方には、後述する表示制御基板９０から特別可変表示装置４４へ送信される信号を中継するための表示中継基盤９１が備えられている。
【００３５】
また、特別可変表示装置４４の裏面部分の左側には、盤用電飾中継基板９３が取り付けられている。この盤用電飾中継基板９３は、前述したように遊技盤４０に設けられる可変表示装置６３、ソレノイド７１ｂ，７３ｂ，７４ｂと電飾制御基板９２との接続を中継するものである。また、盤用電飾中継基板９３の下方には、スイッチ中継基板９５が取り付けられている。このスイッチ中継基板９５は、前述したように、遊技盤４０に設けられる各スイッチ５１，５２，５５ａ，５５ｂ，５６ａ，５６ｂ，６２ａ，６２ｂ及び各ソレノイド５０，５９，６５と主基板１２０との接続を中継するものである。また、盤用電飾中継基板９３の左側方には、裏面カバー体８１上に盤用外部端子基板９６が取り付けられている。この盤用外部端子基板９６は、弾球遊技機１の営業管理上必要な遊技情報（例えば、大当り遊技状態中である旨を報知する大当り１情報、確率変動図柄で大当り遊技状態となり、その大当り状態中及びその大当りによる確率変動中である旨を報知する大当り２情報（大当り中と確率変動中に出力され続ける信号）、確率変動図柄による大当り状態終了後の確率変動中である旨を報知する確率変動情報、始動球検出器をＯＮした打球の数を報知する始動口情報、特別可変表示装置の可変動作回数を報知する図柄確定回数１情報、普通可変表示装置の可変動作回数を報知する図柄確定回数２情報、及び普通可変入賞球装置の開閉回数を報知する役物回数２情報等）を遊技場に設置される管理コンピュータに出力するための外部接続端子（図示しない）を有し、これらの情報が主基板１２０から与えられるようになっている。更に、どの図柄で大当りしたか、どの図柄で停止したか等の情報を出力するようにしてもよい。
【００３６】
また、裏面カバー体８１の下方には、遊技盤４０に設けられる各入賞口から入賞した入賞球を誘導する入賞球誘導路（図示しない）がその前面に形成される入賞球誘導カバー体８２が取り付けられている。入賞球カバー体８２には、表示制御基板９０及び電飾制御基板９２が表示制御基板ボックス１２４内に収容して取り付けられている。表示制御基板９０は、特別可変表示装置４４の可変表示動作を主基板１２０からの情報信号の種類に応じて駆動制御するものであり、電飾制御基板９２との情報信号のやり取りを行なうものである。また、電飾制御基板９２は、図３に示すように、遊技盤４０に設けられる装飾ＬＥＤ、普通可変表示装置６３、ソレノイド、及び透明板保持枠４に設けられる遊技効果ＬＥＤや遊技効果ランプ等を主基板１２０からの情報信号に応じて一括して駆動制御するものである。
【００３７】
以上、遊技盤４０の構成について詳細に説明してきたが、上記のように構成される遊技盤４０は、前面枠３の裏面側に形成される遊技盤収納枠部（図示しない）に収納固定されるようになっている。遊技盤収納枠部は、周知のように、ほぼ正方形状に構成される遊技盤４０を収容するように前面枠３の裏面に段差状に形成され、収容した遊技盤４０の裏面を押圧固定するための遊技盤係止レバー２００が遊技盤収納枠部の左側方に２箇所及び右側方に１箇所に取り付けられている。なお、遊技盤係止レバー２００の取付位置は、このような位置に限られるものではなく、適宜箇所に設けられるものであればよい。また、遊技盤収納枠部の下方部は、平板状の支持板となって遊技盤４０の下辺を載置するようになっており、その支持板のほぼ中央にアウト球を誘導するアウト球連通口（図示しない）が形成されている。また、遊技盤４０を遊技盤係止レバー２００によって収容固定した状態においては、その裏面から機構板１４０が被覆されることとなるが、その機構板１４０は、開閉自在に軸支され、また、機構板１４０を閉じた状態で保持することができるようになっている。なお、機構板１４０は、前面枠３に対して固定されて開閉できないものであってもよい。
【００３８】
次に、弾球遊技機１の背面に設けられる機構板１４０の構成について図２を参照して説明する。図２において、機構板１４０は、遊技球を貯留する貯留タンク１４７と該貯留タンク１４７に貯留された賞球を下流側に整列しながら誘導する球整列レール部材１４８及びカーブレール部材１５０と、カーブレール部材１５０からの遊技球を誘導する球通路１５６と、入賞に基づく賞球を払い出す球払出装置１５４と、主として遊技盤４０に打ち込まれた入賞球を含む打球を処理する処理機構と、が機構板主体１４１上に設けられる。球整列レール部材１４８の下流側上部には、外部との信号線が接続される外部接続端子を有する情報端子基板１０２が設けられる。情報端子基板１０２に設けられる外部接続端子１１８からは、外部（例えば、管理コンピュータ）へ貯留タンク１４７にて遊技球が不足している旨の球切れ情報と貸球情報と賞球情報とが出力される。
【００３９】
また、カーブレール部材１５０の下流側には、垂直状に球通路部材１５６が設けられる。具体的には、前後２列の球通路から球通路部材１５６が構成され、該２列の球通路には、それぞれ球切れスイッチ１５７（図３に符号のみ記載）が通路に臨むように設けられている。この球切れスイッチ１５７は、図３に示すように、主基板１２０に接続され、球切れスイッチ１５７が遊技球を検出しなくなったときには、球払出装置１５４の作動を停止して遊技球の払出を不能動化させるようになっている。球払出装置１５４は、ほぼ直方体形状をなすケースの内部に収納されて機構板主体１４１の前面側に着脱自在に取り付けられるようになっている。
【００４０】
また、機構板１４０の下部後面側には、電圧の異なる複数の電源を生成する電源ユニット基板９７を収容する電源基板ボックス１２２と、遊技盤４０に設けられる可変表示装置４４や特別可変入賞球装置４８等の遊技装置の動作を制御する主基板１２０を収容する主基板ボックス１２１と、前記球払出装置１５４の動作を制御する払出制御基板９８を収容する払出制御基板ボックス１２３が設けられる。電源ユニット基板（電源生成基板）９７は、電源コード１１７が接続されてＡＣ２４Ｖの電圧が供給されると共に、ＤＣ３０Ｖ、ＤＣ２１Ｖ、ＤＣ１２Ｖ、ＤＣ５Ｖ、ＡＣ２４Ｖの５種類の電圧を生成し、各制御基板に所定の電源を供給する。
【００４１】
以上、弾球遊技機１の構成、遊技盤４０の構成、及び機構板１４０の構成について説明してきたが、次に、配線接続される回路構成について、図３を参照して説明する。主基板１２０には、遊技盤４０に設けられる各スイッチ５１，５２，５５ａ，５５ｂ，５６ａ，５６ｂ，６２ａ，６２ｂからの信号がスイッチ中継基板９５を介して入力されると共に始動球検出器６０からの信号も入力され、また、満タンスイッチ１５８及び球切れスイッチ１５７からの信号が機構板中継基板１０１及び払出制御基板９８を介して入力される。更に、主基板１２０には、中継基板１１３及び払出制御基板９８を介して払出個数カウントスイッチ１１６からの信号が入力されるものである。
【００４２】
上記した入力信号のうち、遊技盤４０に設けられる各スイッチ５１，５２，６０，６２ａ，６２ｂからの入力信号に基づいて主基板１２０は、遊技盤４０に設けられるソレノイド５０，５９，６５を駆動制御すると共に、遊技状態に応じた電飾信号を表示制御基板９０を介して電飾制御基板９２に出力し、遊技状態に応じた効果音信号を表示制御基板９０及び電飾制御基板９２を介して音声制御基板９４に出力し、更に、大当り表示制御信号あるいはリーチ表示制御信号又は外れ表示制御信号を表示制御基板９０に出力し、盤用外部端子基板９６に各種の遊技情報を出力する。電飾制御基板９２は、主基板１２０から入力される信号によって、普通可変表示装置６３を表示制御し、音声制御基板９４は、主基板１２０から入力される効果音信号の種類に応じて電飾制御基板９２及び保持枠中継基板１００を介してスピーカ１２を駆動制御する。また、表示制御基板９０は、主基板１２０から入力される表示制御信号の種類に応じて特別可変表示装置４４の表示結果を導出するように制御する。
【００４３】
また、満タンスイッチ１５８からの入力信号に基づいて主基板１２０は、払出制御基板９８に満タン信号（払出停止コマンド）を出力し、その満タン信号に基づいて払出制御基板９８は、払出モータ１１５の駆動を停止させる。また、その満タン信号に基づいて、ステッピングモータ６０１の駆動を停止する。なお、満タンスイッチ１５８からの入力信号があったときには、電飾制御基板９２に満タン信号を出力して所定のランプ又はＬＥＤを表示駆動してその旨を報知するようにしてもよい。また、満タン信号を払出制御基板９８に出力するので、例えば、該払出制御基板９８上のエラー表示器等でその旨を報知するようにしてもよい。
【００４４】
また、遊技盤４０に設けられる通過球検出器６２ａ，６２ｂを除く各スイッチ５１，５２，５５ａ，５５ｂ，６０，５６ａ，５６ｂからの入力信号に基づいて主基板１２０は、払出制御基板９８に賞球個数信号を出力し、払出制御基板９８は、その賞球個数信号の入力に基づいて払出モータ１１５を駆動して所定個数の賞球を払い出す。また、払出個数カウントスイッチ１１６からの入力信号に基づいて主基板１２０は、未払出数があるか否かを判定する。また、払出個数カウントスイッチ１１６からの入力信号に基づいて主基板１２０は、枠用外部端子基板１０２に賞球個数情報（１０個で１パルス）を出力し、この信号を枠用外部端子基板１０２から外部の管理コンピュータの出力する。更に、各スイッチ５１，５２，５５ａ，５５ｂ，６０，５６ａ，５６ｂからの入力信号に基づいて主基板１２０は、電飾制御基板９２（及び音声制御基板９４）に賞球信号を出力し、賞球ＬＥＤ１０（又はスピーカ１２）を表示駆動してその旨を報知する。
【００４５】
更に、球切れスイッチ１５７からの入力信号に基づいて主基板１２０は、払出モータ１１５を駆動停止させるために払出制御基板９８に球切れ信号（払出停止コマンド）を出力したり、電飾制御基板９２に賞球切れ信号を出力して球切れＬＥＤ９を所定の態様で表示駆動する。なお、満タンスイッチ１５８又は球切れスイッチ１５７のいずれかがＯＮすることで賞球停止信号（払出停止コマンド）を主基板１２０から払出制御基板９８に出力して賞球しないようにし、いずれのスイッチ１５８，１５７ともＯＦＦであれば賞球可能信号（払出停止解除コマンド）を出力するというものでもよい。また、賞球ＬＥＤ１０に換えて未払出がある場合、点灯する未払出報知ランプなどを設けてもよい。
【００４６】
主基板１２０には、遊技動作を制御するためのスイッチ入力、賞球の払出動作を制御するためのスイッチ入力しか入力されず、主基板１２０と払出制御基板９８を除く他の制御基板９０，９２，９４との関係においては、主基板１２０から制御基板９０，９２，９４に向かって一方向の通信関係となる。このため、制御基板に不法な処理プログラムを組み込んで主基板１２０で不正な処理を施そうとしても実行することができないという利点があり、また、主基板１２０の制御の一部を他の制御基板９０，９２，９４，９８で担当しているので、主基板１２０の負担が軽減されると共に、主基板１２０の検査の容易化を図ることも可能である。
【００４７】
また、払出制御基板９８には、センサ基板１１４のモータ位置センサ及び払出個数カウントスイッチ１１６からの信号が中継基板１１３を介して入力され、残高表示基板１０４の球貸スイッチ３６及び返却スイッチ３７からの信号が入力され、カードユニット装置３１から各種の情報が入力されている。更に、前述したように、主基板１２０から賞球個数信号、満タン信号、球切れ信号が入力されるものである。上記した入力信号のうち、モータ位置センサからの入力信号に基づいて払出制御基板９８は、貸球及び賞球の払出動作において払出モータ１１５の停止位置、即ち球払出装置１５４のスプロケットの停止位置を正確に制御すると共にスプロケットが回転しているか否かを検出できる。また、払出個数カウントスイッチ１１６からの入力信号に基づいて払出制御基板９８は、貸球及び賞球の正確な払出数を払い出すように払出モータ１１５を駆動制御すると共に、枠用外部端子基板１０２に貸球数情報（１００円分の球２５個で１パルス）を出力する。なお、賞球数情報を主基板１２０から出力するようにしてもよい。
【００４８】
また、払出制御基板９８は、球貸スイッチ３６からの入力信号に基づいてカードユニット装置３１から貸球要求信号が出力されると払出モータ１１５を駆動し、また、返却スイッチ３７からの入力信号は、インターフェイス基板１０３を経由してカードユニット装置３１に伝達される。また、カードユニット装置３１からの各種の情報信号もインターフェイス基板１０３を経由して残高表示基板１０４の度数表示ＬＥＤ１０５及び球貸表示ＬＥＤ１０６に伝達される。更に、主基板１２０からの球切れ信号、賞球個数信号、満タン信号等に基づいて払出制御基板９８は、前述したように中継基板１１３を介して賞球の払出動作を実行せしめたり、発射制御基板１０７にステッピングモータ６０１の停止信号を出力したりする。なお、枠用外部端子基板１０２に接続される球切れスイッチ１０７からの入力信号は、球切れ情報として外部の管理コンピュータ等に出力される。
【００４９】
また、上記した払出制御基板９８には、接続線（図示しない）を介して補強ヒンジ部材１７６（図２参照）が接続されており、この補強ヒンジ部材１７６あるいは補強ヒンジ部材１７６と係合する前面枠３の下側のヒンジ金具（図示しない）に接続されるアース板（図示しない）から遊技球の静電気を受け、これをカードユニット装置３１から放電するようになっている。
【００５０】
次に、本実施形態の要部を構成する、透明板保持枠４の前面枠３への軸支部材（移動軸支ピン２２０，固定軸支片２２１）による取り付け構造について図４乃至図８を参照して説明する。図４は、透明板保持枠４が前面枠３に対して軸支部材２２０，２２１により軸支される状態の斜視図であり、図５は、透明板保持枠４を前面枠３に取り付ける際の斜視図及び取り付けた後の上方断面図であり、図６は、他の実施形態の回転防止部２２８が備えられた透明板保持枠４と前面枠３の斜視図及び上方断面図であり、図７は、他の実施形態の移動軸支ピン２２０が備えられた透明板保持枠４と前面枠３の斜視図であり、図８は、他の実施形態の後退阻止部２２６が備えられた透明板保持枠４と前面枠３の斜視図及び上方断面図である。
【００５１】
まず、透明板保持枠４は、ほぼ角型に形成されるものであり、その前面枠３に軸支される側方の上部は、図５に示すように、段差状に形成されると共に、その段差面には、後述する移動軸支ピン２２０の挿入部２２５がその下方から挿通される挿通穴２３３が穿設されている。また、この挿通穴２３３の下方には、移動軸支ピン２２０が同じく挿通され、移動軸支ピン２２０を保持するためのピン保持部２２７が形成されている。また、ピン保持部２２７の側方には、移動軸支ピン２２０を透明板保持枠４に装着した際、移動軸支ピン２２０を上方に向けて付勢するためのスプリング２３０を取り付けるためのスプリング止め２３１が形成されている。また、このスプリング止め２３１の斜め下方には、透明板保持枠４に装着された移動軸支ピン２２０が、透明板保持枠４に対する後退を阻止するための後退阻止部２２６が形成されている。即ち、後退阻止部２２６は、移動軸支ピン２２０を透明板保持枠４に装着した際に、図５に示すように、挿通穴２３３から突出する挿入部２２５が下方に退避しないようにするためのものである。更に、ピン保持部２２７の側方であって、透明板保持枠４の側端部には、前述したように、防犯リブ２２９としての補強周枠リブが前面枠３側に向けて突設されている。なお、この防犯リブ２２９は、後述するように、透明板保持枠４に移動軸支ピン２２０を装着した際に、移動軸支ピン２２０の近傍に位置する透明板保持枠４に設けられるものである。一方、透明板保持枠４の前面枠３に軸支される側の下部は、後述する固定軸支片２２１が形成されている。
【００５２】
上記のように構成される透明板保持枠４には、透明板保持枠４を前面枠３に対して開閉および着脱自在に軸支するための軸支部材が装着されているが、この軸支部材は、透明板保持枠４の軸支側上方に軸方向で透明板保持枠４に対して突出及び後退可能に装着される前記移動軸支ピン２２０と、透明枠保持枠４の軸支側下方に固定される前記固定軸支片２２１と、から構成されるものである。
【００５３】
移動軸支ピン２２０は、図４に示すように、金属製の棒状の部材をＬ字状に折り曲げることにより形成され、折り曲げた部分が操作部２２４、操作部２２４と反対側の端部が挿入部２２５として形成されている。また、固定軸支片２２１  図４に示すように、透明保持枠４の軸支側の下部を厚肉にすることにより、形成されちる。この固定軸支片２２１には、後述する下部係合部２２３（図４参照）が挿入される挿入穴（図示しない）がその下面から上方に向けて形成されている。
【００５４】
次に、前面枠３の透明板保持枠４の軸支側には、係合部が形成されている。この係合部は、移動軸支ピン２２０が係合する上部係合部２２２と、固定軸支片２２１が係合する下部係合部２２３と、により構成されるものである。係合部２２２は、前面側に突出して形成されると共に、移動軸支ピン２２０の挿入部２２５が挿入される挿入穴（図示しない）がその下面から上方に向けて形成されている。また、前面枠３の透明板保持枠４の軸支側の上部には、後述するように、操作部２２４が回転して後退阻止部２２６から外れることを防止するための回転防止部２２８が形成されている。この回転防止部２２８は、角型形状に遊技盤４０の表面よりも手前側に突出して形成されるものであり、その表面は、平坦状に形成されている。
【００５５】
上記した透明板保持枠４を前面枠３に装着するには、まず、操作部２２４にスプリング２３０の取付部を挿通した移動軸支ピン２２０を、挿入部２２５側からピン保持部２２７及び挿通穴２３３に挿入する。移動軸支ピン２２０をピン保持部２２７及び挿通穴２３３に挿入した後、スプリング２３０の反対側の取付部をスプリング止め２３１に係止する。こうすることにより、移動軸支ピン２２０がスプリング２３０によって上方に付勢されるため、挿入部２２５が挿通穴２３３から突出する状態になるが、操作部２２４が後退阻止部２２６に当接していない状態では、図５の破線で表わした矢印で示す方向（上下方向）に移動可能となる。
【００５６】
このように移動軸支ピン２２０を透明板保持枠４に装着した後、透明板保持枠４の固定軸支片２２１の挿入穴に前面枠３の下部係合部２２３を挿入する。次に、移動軸支ピン２２０をスプリング２３０の付勢力に反して下方に移動させて挿入部２２５を退避させ、この状態で挿通穴２３３を上部係合部２２２の挿入穴の位置まで移動させる。そして、再び、スプリング２３０の付勢力によって移動軸支ピン２２０を上方に移動させ、挿入部２２５を上部係合部２２２の挿入穴に挿入する。これにより、透明板保持枠４が前面枠３に対して開閉および着脱自在に軸支されることとなる。
【００５７】
この状態で、操作部２２４を透明板保持枠４と平行方向となるように、移動軸支ピン２２０を軸中心で回転させて、操作部２２４を後退阻止部２２６の上面に当接させる。これにより、移動軸支ピン２２０が透明板保持枠４に対して後退する、即ち、移動軸支ピン２２０が下方に移動することがなくなる。このとき、操作部２２４の先端部分が後退阻止部２２６から突出するようになっている。
【００５８】
そして、この状態で、透明板保持枠４を前面枠３に対して閉塞すると、図５の断面図に示すように、透明板保持枠４の後退阻止部２２６と前面枠３の回転防止部２２８が僅かな隙間を持って対面することとなる。この隙間の寸法は、移動軸支ピン２２０の操作部２２９の直径よりも小さいため、移動軸支ピン２２０が回転して操作部２２４が後退阻止部２２６から外れることがない。また、移動軸支ピン２２０は、透明板保持枠４と前面枠３とにまたがらない構造となるため、不正な操作がしにくく、不正防止の効果がある。
【００５９】
なお、上記した回転防止部２２８は、図５の斜視図に示すように、前面枠３の表面に平坦な面として形成されるものを示したが、このようなものに限らず、図６の斜視図に示すように、その表面が凸状に突設されるものであってもよい。回転防止部２２９をこのように形成することにより、図６の断面図に示すように、後退阻止部２２６の高さが移動軸支ピン２２０の直径よりも小さく形成されているような場合であっても、透明板保持枠４を閉塞した際に、移動軸支ピン２２０が回転して後退阻止部２２６から抜け出すことを確実に防止することができる。
【００６０】
また、上記した移動軸支ピン２２０は、金属製の棒状の部材をＬ字状に折り曲げることにより形成され、折り曲げた部分が操作部２２４を構成するものを示したが、このようなものに限らず、移動軸支ピン２２０の軸方向に対して直角に操作部２２４が突設されているもの、即ち、図７に示すように、Ｔ字形状に形成されているものであってもよい。
【００６１】
また、上記した後退阻止部２２６は、操作部２２４の下方に対応する位置にのみ形成されているものを示したが、このようなものに限らず、図８（Ａ）に示すように、操作部２２４を上方及び下方から挟持する一対の突起部により構成されるものであってもよい。
【００６２】
更に、後退阻止部２２６は、図８（Ｂ）に示すように、透明板保持枠４の裏面側に突出させて形成し、その後退阻止部２２６の間の挿入溝２３２に移動軸支ピン２２０を挿入する形状のものであってもよい。
【００６３】
以上、実施形態にかかる弾球遊技機１について詳細に説明してきたが、本実施形態においては、外枠２と、外枠２の一側に開閉自在に支持され且つ遊技盤４０が装着される前面枠３と、前記遊技盤４０の遊技領域４１を透視し得る透明板が装着される透明板保持枠４と、該透明板保持枠４に装着され且つ該透明板保持枠４を前記前面枠３に対して開閉及び着脱自在に軸支する軸支部材と、を備えた遊技機において、前記軸支部材は、前記透明板保持枠４の軸支側上下の一方に固定される固定軸支片２２１と、前記透明板保持枠４の軸支側上下の他方に軸方向で該透明板保持枠４に対して突出及び後退可能に装着される移動軸支ピン２２０と、から構成し、前記移動軸支ピン２２０には、該移動軸支ピン２２０の一方端をＬ字型に曲げるか、あるいは、該移動軸支ピン２２０の軸方向に対して直角に凸部を突設することにより操作部２２４を形成し、前記前面枠３の一方側には、前記固定軸支片２２１及び移動軸支ピン２２０の他方端が係合する係合部２２２，２２３を形成し、前記固定軸支片２２１を前記係合部２２２，２２３に係合すると共に、該移動軸支ピン２２０の他方端を前記係合部２２２，２２３と係合もしくは係合解除させ、前記透明板保持枠４を前記前面枠３に対して開閉及び着脱自在に軸支し、前記透明板保持枠４の裏面側には、前記操作部２２４を透明板保持枠４と平行方向となるように回転させた前記移動軸支ピン２２０が、前記透明板保持枠４に対する後退を阻止する後退阻止部２２６を設け、前記前面枠３には、前記透明板保持枠４を前記前面枠３に対して閉成した際に、前記移動軸支ピン２２０が回転して前記操作部２２４が前記後退阻止部２２６から外れることを防止する回転防止部２２８を設けたことにより、透明板保持枠４に移動軸支ピンを装着するだけで同時に移動軸支ピン２２０を軸方向で移動させられることを防止できる。このため、前面枠３側に移動軸支ピン２２０が係合する係合部を形成し、この係合部で位置決めするもののように、移動軸支ピンの製作寸法及び取付寸法や係合部の加工寸法等に対して高い精度が要求されないため、製造コストを低減することができる。また、透明板保持枠４に装着された移動軸支ピンは、閉じた状態で透明板保持枠４と前面枠３とにまたがるものではなく、透明板保持枠４側に位置することとなり、透明板保持枠４と前面枠３との隙間から針金等を挿入することにより移動軸支ピン２２０に対しての操作が行われることを防止することができる。更に、後退阻止部２２６に当接した操作部は、回転防止部２２８によって後退阻止部２２６から抜け出すことが防止されるため、移動軸支ピン２２０が軸方向で移動することを確実に防止でき、不正行為を未然に防ぐことができる。
【００６４】
また、本実施形態においては、前記後退阻止部２２６は、前記操作部２２４を上方及び下方から挟持する一対の突起部により構成されていることにより、透明板保持枠４の裏面側に一対の突起を設けるだけの簡単な構造で挟持でき、移動軸支ピン２２０が軸方向で移動することを防止でき、不正行為を未然に防ぐことができる。
【００６５】
また、本実施形態においては、前記回転防止部２２８は、前記透明板保持枠４側に向けて突出する凸形状に形成されていることにより、透明板保持枠４を閉塞した際に、移動軸支ピン２２０が回転して後退阻止部２２６から抜け出すことを確実に防止することができるため、移動軸支ピン２２０が軸方向で移動することを防止でき、不正行為を未然に防ぐことができる。
【００６６】
また、本実施形態においては、前記透明板保持枠４の外周端部であって前記移動軸支ピン２２０の近傍には、前記移動軸支ピン２２０への外部からの操作を防止するための防犯リブが、前記前面枠３側に向けて突設されていることにより、移動軸支ピン２２０に対して外部から操作することが不可能になるため、移動軸支ピン２２０が軸方向で移動することを防止でき、不正行為を未然に防ぐことができる。
【００６７】
更に、本実施形態においては、前記後退阻止部２２６は、該後退阻止部２２６に収容された前記操作部２２４の先端部分が突出する長さに形成されていることにより、弾球遊技機１のメンテナンス等を行う場合に、移動軸支ピン２２０の操作部を後退阻止部２２６から容易に抜き出すことができるため、分解作業の効率化を図ることができる。
【００６８】
【発明の効果】
以上、説明したところから明らかなように、請求項１の発明においては、透明板保持枠に移動軸支ピンを装着するだけで同時に移動軸支ピンを軸方向で移動させられることを防止できる。このため、前面枠側に移動軸支ピンが係合する係合部を形成し、この係合部で位置決めするもののように、移動軸支ピンの製作寸法及び取付寸法や係合部の加工寸法等に対して高い精度が要求されないため、製造コストを低減することができる。また、透明板保持枠に装着された移動軸支ピンは、閉じた状態で透明板保持枠と前面枠とにまたがるものではなく、透明板保持枠側に位置することとなり、透明板保持枠と前面枠との隙間から針金等を挿入することにより移動軸支ピンに対しての操作が行われることを防止することができる。更に、後退阻止部に当接した操作部は、回転防止部によって後退阻止部から抜け出すことが防止されるため、移動軸支ピンが軸方向で移動することを確実に防止でき、不正行為を未然に防ぐことができる。
【００６９】
また、請求項２の発明においては、透明板保持枠の裏面側に一対の突起を設けるだけの簡単な構造で挟持でき、移動軸支ピンが軸方向で移動することを防止でき、不正行為を未然に防ぐことができる。
【００７０】
また、請求項３の発明においては、透明板保持枠を閉塞した際に、移動軸支ピンが回転して後退阻止部から抜け出すことを確実に防止することができるため、移動軸支ピンが軸方向で移動することを防止でき、不正行為を未然に防ぐことができる。
【００７１】
また、請求項４の発明においては、移動軸支ピンに対して外部から操作することが不可能になるため、移動軸支ピンが軸方向で移動することを防止でき、不正行為を未然に防ぐことができる。
【００７２】
更に、請求項５の発明においては、遊技機のメンテナンス等を行う場合に、移動軸支ピンの操作部を後退阻止部から容易に抜き出すことができるため、分解作業の効率化を図ることができる。
【図面の簡単な説明】
【図１】本発明の一実施形態における弾球遊技機を示す正面図である。
【図２】遊技盤の表面に設けられる各種構成部材を示す正面図である。
【図３】弾球遊技機の裏面に設けられる各基板を示す説明図である。
【図４】遊技制御基板（主基板）の回路構成を示すブロック図である。
【図５】透明板保持枠を前面枠に取り付ける際の斜視図及び取り付けた後の上方断面図である。
【図６】他の実施形態の回転防止部が備えられた透明板保持枠と前面枠の斜視図及び上方断面図である。
【図７】他の実施形態の移動軸支ピンが備えられた透明板保持枠と前面枠の斜視図である。
【図８】他の実施形態の後退阻止部が備えられた透明板保持枠と前面枠の斜視図及び上方断面図である。
【符号の説明】
１  弾球遊技機（遊技機）
２  外枠
３  前面枠
４  透明板保持枠
４０  遊技盤
４１  遊技領域
２２０  移動軸支ピン
２２１  固定軸支片
２２２  上部係合部
２２３  下部係合部
２２４  操作部
２２６  後退阻止部
２２８  回転阻止部
【図１】
2004194767.tif 000003
【図２】
2004194767.tif 000004
【図３】
2004194767.tif 000005
【図４】
2004194767.tif 000006
【図５】
2004194767.tif 000007
【図６】
2004194767.tif 000008
【図７】
2004194767.tif 000009
【図８】
2004194767.tif 000010